(57)【要約】【課題】震動吸収の役割を果たしたり使用寿命を増長したりするグリップのバンドを提供する。【解決手段】本体１０は、最上部に把持層１１を備える。延展性、密度が高くて滑り止めの効果が良い特性を備える。軸方向の厚さの範囲が０．３ｍｍ〜１．２ｍｍで、両側にそれぞれ凸唇１１１を有し、各凸唇は端部に沿って凹部１１２を形成する。各凹部１１２及び把持層１１が隣り合うところには辺部のライン１１３を有する。ゴム材質の採用が最適であり、延展性の高い効果によって把持層１１が巻き付く過程で、彎曲率や伸展の程度が大きくても、過度の張力や破壊が生じることや、使用寿命が短縮することがない。底層１２の最上面は把持層１１の底面と接合する。軸方向の厚さの範囲を０．８ｍｍ〜１．６ｍｍとし、把持層１１の厚さが底層１２の厚さより小さく構成される。軽くて薄い把持層１１を通して底層１２材質の快適性や震動吸収性等の特性をも現すためである。【選択図】    図３
2004167076.tif 000002
【特許請求の範囲】
【請求項１】
螺旋状にグリップを巻き付けるバンド状の本体であって、本体は、使用者が握り持つように本体の最上部に設置され且つゴムによって作成される把持層と、その最上面が把持層の底面と接合しその延展性が把持層より小さい底層とを有し、
把持層は、横向きの断面の広さが底層より大きいように形成され、少なくとも一側に凸唇を有し、各凸唇は端部に沿って凹部を形成し、各凹部及び把持層が隣り合うところには辺部のラインを有することを特徴とするグリップのバンド。
【請求項２】
把持層の上両側にはそれぞれ凸唇を有することを特徴とする請求項１に記載のグリップのバンド。
【請求項３】
バンド体の横向きの断面の厚さは、比例上、把持層の厚さが底層の厚さより小さいことを特徴とする請求項１に記載のグリップのバンド。
【請求項４】
把持層の厚さが０．３ｍｍ〜１．２ｍｍであり、底層の厚さが０．８〜１．６ｍｍであることを特徴とする請求項３に記載のグリップのバンド。
【請求項５】
底層がポリウレタンにより作成されることを特徴とする請求項１に記載のグリップのバンド。
【請求項６】
底層がＥＶＡ発泡体により作成されることを特徴とする請求項１に記載のグリップのバンド。
【請求項７】
把持層は所定数の穿孔を有し、穿孔が貫通するように形成されていることを特徴とする請求項１に記載のグリップのバンド。
【請求項８】
底層の最上面には複数の凸部を有し、各凸部が把持層の穿孔に対応し嵌まるように形成されることを特徴とする請求項７に記載のグリップのバンド。
【請求項９】
穿孔の断面は円形デザインであることを特徴とする請求項７に記載のグリップのバンド。
【請求項１０】
穿孔の断面は方形デザインであることを特徴とする請求項７に記載のグリップのバンド。
【請求項１１】
穿孔の断面は菱形デザインであることを特徴とする請求項７に記載のグリップのバンド。
【請求項１２】
穿孔の直径は４ｍｍ〜８ｍｍであることを特徴とする請求項７に記載のグリップのバンド。
【請求項１３】
把持層の密度が底層より大きいことを特徴とする請求項１に記載のグリップのバンド。
【発明の詳細な説明】
【０００１】
【発明の属する技術分野】
本発明はグリップのバンドに関するものでる。
【０００２】
【従来の技術】
従来のグリップのバンドは、把持層、不織布層、及び底層を有するものである。
図１、図２に示すように、把持層１及び不織布２を有し、把持層１が手触りのよいポリウレタン（ＰＵ）発泡体から製造されることによって、使用者に把持する時の快適性をもたらすものである。
【０００３】
【発明が解決しようとする課題】
しかし、ＰＵ発泡体の欠点は、バンドをグリップに巻き付ける場合、グリップのバンドは、外径が外周へ延びるに伴って曲率半径が大きくなるため、伸展の程度が大きくなるとともに、把持層１ＰＵ発泡体は、予荷重（Ｐｒｅｌｏａｄ）の巻き付く過程で、伸展の程度が大きいと、過度の張力や破壊が生じることによって、震動吸収の効果が劣り、使用寿命が短縮するということにある。
【０００４】
更にＰＵ発泡体は使用者に手触りのよい快適性をもたらすが、高速打撃をする際に、ＰＵ発泡体は滑り止めの効果を持たないため、打つとラケットが落ちたり飛ばされたりすることを発生するとともに、傍観者に危険を与えることがある。言い換えれば、グリップのバンドにＰＵ材質を把持層１として使用するなら、震動吸収の効果が劣り、使用寿命が短縮し、滑りやすいことがある。その外に、グリップのバンドをクリップに巻き付ける場合、巻き付ける過程での基準がないため、巻き付ける速度が遅く、バンド体の重なる部分（ｏｖｅｒｌａｐ）の広さが一致しないと、巻き付けた後の見た目が不揃いになることもある。
【０００５】
したがって、本発明の主な目的は、把持層が延展性及び密度の大きい特性を有することによって震動吸収の役割を果たしたり使用寿命を増長したりするグリップのバンドを提供することにある。
本発明のもう一つの目的は、滑り止めの効果が優れるクリップのバンドを提供することにある。
本発明のさらにもう一つの目的は、快速に巻き付けるのが可能で、造形が斉一であるクリップのバンドを提供することにある。
【０００６】
【課題を解決するための手段】
上述の目的を達成するために、本発明の請求項１に記載のグリップのバンドは、螺旋状でグリップを巻き付けるバンド状の本体であって、本体は、使用者が握り持つように本体の最上部に設置される。ゴムによって作成される把持層、及びその最上面と把持層の底面と接合し、その延展性が把持層より小さい底層を有する。
【０００７】
把持層は、横向きの断面の広さが底層より大きいように形成され、少なくとも一側に凸唇を有する。各凸唇は端部に沿って凹部を形成し、各凹部及び把持層が隣り合うところには辺部のラインを有する。
本発明の請求項２に記載のグリップのバンドは、把持層の上両側にはそれぞれ凸唇を有する。
【０００８】
本発明の請求項３に記載のグリップのバンドは、バンド体の横向きの断面の厚さでは、比例上、把持層の厚さが底層の厚さより小さい。
本発明の請求項４に記載のグリップのバンドは、把持層の厚さが０．３ｍｍ〜１．２ｍｍであり、底層の厚さが０．８〜１．６ｍｍである。
【０００９】
本発明の請求項５に記載のグリップのバンドは、底層がポリウレタン（Ｐｏｌｙｕｒｅｔｈａｎｅｓ、ＰＵ）により作成される。
本発明の請求項６に記載のグリップのバンドは、底層がＥＶＡ発泡体により作成される。
【００１０】
本発明の請求項７に記載のグリップのバンドは、把持層には所定数の穿孔を有し、穿孔が貫通するように形成されている。
本発明の請求項８に記載のグリップのバンドは、底層の最上面には複数の凸部を有し、各凸部が把持層の穿孔に対応し嵌まるように形成される。
【００１１】
本発明の請求項９に記載のグリップのバンドは、穿孔の断面は円形デザインである。
本発明の請求項１０に記載のグリップのバンドは、穿孔の断面は方形デザインである。
【００１２】
本発明の請求項１１に記載のグリップのバンドは、穿孔の断面は菱形デザインである。
本発明の請求項１２に記載のグリップのバンドは、穿孔の直径は４ｍｍ〜８ｍｍである。
本発明の請求項１３に記載のグリップのバンドは、把持層の密度が底層より大きい。
【００１３】
【発明の実施の形態】
以下、本発明の実施例を図面に基づいて説明する。
図３に示すように、本発明による第一実施例は、グリップのバンドはバンド状の本体１０を螺旋状にグリップを巻き付けるものであって、本体１０は、使用者が握り持つために最上部に設置される把持層１１を備えるものである。把持層１１の材質は、延展性、密度が高くて滑り止めの効果が良い特性を備える。ゴム材質を採用すれば一番良い。延展性の高い効果によって把持層１１が予荷重（Ｐｒｅｌｏｄａ）で巻き付く過程で、彎曲率や伸展の程度が大きくても、過度の張力や破壊が生じることや、使用寿命が短縮することがない。密度の高い効果によって、ラケットを把持して打撃する際に、よい震動吸収の効果が得られ、又、滑り止めの効果によって、高速打撃をする際に、ラケットが落ちたり飛ばされたりすることは発生しない。
【００１４】
把持層１１は軸方向の厚さの範囲が０．３ｍｍ〜１．２ｍｍであって、又把持層１１の両側にそれぞれ凸唇１１１を有し、各凸唇は端部に沿って凹部１１２を形成する。各凹部１１２及び把持層１１が隣り合うところには辺部のライン１１３を有する。
【００１５】
底層１２は、本体１０の底部に設置されるものであって、その最上面と把持層１１の底面と接合する。底層１２の材料は、延展性及び密度が把持層１１より小さい材質、例えばポリウレタン（Ｐｏｌｙｕｒｅｔｈａｎｅｓ、ＰＵ）或はＥＶＡ材質を採用し、求める効果によって材質を選ぶ。良い手触りを求める場合、ＰＵ材質、震動吸収の良い効果を求める場合、ＥＶＡ（他の適当な震動吸収の材質を使用しても構わない）を採用すれば良い。底層１２は軸方向の厚さの範囲を０．８ｍｍ〜１．６ｍｍにすることによって、横向きの断面の厚さの比例は、把持層１１の厚さが底層１２の厚さより小さく構成される。これは、把持層１１のゴムの特性を現すだけでなく、軽くて薄い把持層１１を通して底層１２材質の快適性や震動吸収性等の特性をも現すためである。その他に巻き付ける作業では、グリップにバンド１０が巻き付く場合、各凸唇１１１の凹部１１２は重なる方式で巻き付くには辺部のライン１１３に沿えば、美観で斉一な繋ぎが得られる。
【００１６】
図４は本発明による第二実施例を示す。第一実施例との違いは、把持層１１の凸唇１１１の形状が異なり、違った重なり方で巻き付くことを提供することにある。
図５は、本発明による第三実施例を示す。第二実施例との違いは、把持層１１が一側だけに凸唇１１１を有し、もう一側に何も設置しないことにある。
【００１７】
図６は、本発明による第四実施例を示す。第一実施例との違いは、把持層２１に所定数の穿孔２３を有し、穿孔の形状は円形、方形、菱形及び不規則形に形成することが可能である。内径が４ｍｍ〜８ｍｍであって、各穿孔２３が貫通するようにされ、且つ縦向きの深さが把持層２１の厚さと等しいことにある。使用者はグリップのバンドを手で握り持つ場合、本体２０の把持層２１の穿孔２３あたりの周縁が底層２２の最上面に平行するようにへこんでいることによって、把持層２１及び底層２２に同時に接触することが可能である。詳しく説明は次のように、グリップのバンドは、把持層２１の材質をゴム、底層２２の材質をポリウレタン（ＰＵ）とされる場合、使用者は手によってグリップのバンドを握り持つと、滑り止めの効果がある把持層を直ちに接触する。同時に、（図７に示すように）手によって把持層２１の各穿孔２３が押されるため、把持層２１の穿孔２３あたりの周縁が快適性の良い底層２２へへこんでいくと、底層２２に手が直接に接触する。クリップのバンドの把持層２１及び底層２２の材質の特性を完全に発揮することが可能である。且つ穿孔２３の断面の形状を円形、方形、或は菱形等にしてもよく、各穿孔２３がグリップに全体セッティングされた後、一つのデザイン、例えば商標名或は商標マークＬｏｇｏ等（図８に示すように）となるようにするとしたら、グリップのバンドの造形が更に美観を呈するし、消費者の注目を引くとともに、製品の実用性を高める。
【００１８】
図９は、本発明による第五実施例を示す。第四実施例との違いは、本体３０の底層３２の最上面に複数の凸部３４を有し、且つ各凸部３４が把持層３１の穿孔３３に対応し嵌まるようにされることによって、両者の結合性が増加するだけでなく、使用者に押される底層３２と手との接触面積も増加する。更に詳しく説明を加えてみると、本発明による実施例では、底層３２の材質がポリウレタン（ＰＵ）であるが、底層３２の材質をＥＶＡ発泡体或はその他の震動吸収材質にしてもよい。
【００１９】
【発明の効果】
本発明の特性は次の通りである。
１、使用寿命、震動吸収と滑り止めの効果が良いこと。
グリップのバンドは把持層がゴム材質であるため、延展性や滑り止めなどの効果がよい特性を持つものである。グリップのバンドがラケットに巻き付く場合、伸展の程度が過大であるためグリップのバンドの把持層の構造が破壊されるとともに使用寿命が短縮することを避けることが可能である。同時に、震動吸収の効果を持ち、及び高速打撃する際にラケットが飛ばされたり落とされたりすることを避けることが可能である。
【００２０】
２、二重特性の効果を現すこと。
グリップのバンドの横向きの厚さの比例は把持層の厚さが底層の厚さより小さいようにされる特性、或いは把持層の穿孔が底層に露出する特性によって、手で握り持つと把持層のゴムの特性を感じるだけでなく、底層が異なることによって提供される快適性及び震動吸収の効果をも感じる。
【００２１】
３、造形が斉一で美観であること。
グリップを巻き付ける場合、巻き付ける過程で参照可能な基準があるため、巻き付ける速度を速くしても、バンド体の辺部は重なる部分（ｏｖｅｒｌａｐ）の広さが一致するとともに、巻き付けた後の見た目が斉一であることを分かる。且つ把持層の各穿孔の断面形状、及び穿孔が排列することによって構成される模様などのデザインによって、色が異なる底層と組み合わせて対比するようにするのが可能であるため、消費者に視覚の美観を満足させるほかに、消費者に物欲の刺激を与えるとともに、製品の実用性を高める。
【図面の簡単な説明】
【図１】従来のグリップのバンドがグリップに巻き付いた状態を示す立体図である。
【図２】図１の２−２の局部断面の拡大図である。
【図３】本発明の第一実施例によるグリップのバンドを示す立体図である。
【図４】本発明の第二実施例によるグリップのバンドを示す断面図である。
【図５】本発明の第三実施例によるグリップのバンドを示す断面図である。
【図６】本発明の第四実施例によるグリップのバンドを示す断面図である。
【図７】図６のグリップのバンドに手で力を加えることによって生じる変形の状態を示す断面図である。
【図８】図６のグリップのバンドがグリップに巻き付いた状態を示す立体図である。
【図９】本発明の第五実施例によるグリップのバンドを示す断面図である。
【符号の説明】
１０    本体
１１    把持層
１２    底層
２０    本体
２１    把持層
２２    底層
２３    穿孔
３０    本体
３１    把持層
３２    底層
３３    穿孔
３４    凸部
１１１    凸唇
１１２    凹部
１１３    辺部のライン
【図１】
2004167076.tif 000003
【図２】
2004167076.tif 000004
【図３】
2004167076.tif 000005
【図４】
2004167076.tif 000006
【図５】
2004167076.tif 000007
【図６】
2004167076.tif 000008
【図７】
2004167076.tif 000009
【図８】
2004167076.tif 000010
【図９】
2004167076.tif 000011